(57)【要約】      （修正有）【課題】建物の縦揺れおよび横揺れに対応可能でナットの緩みを抑制する、耐震強化金物を提供する。【解決手段】柱の壁面側に取り付けられる上部固定部材５と、上部固定部材５の下方で基礎に取り付けられる下部固定部材９と、上部固定部材５と下部固定部材９を連結するボルト１１とナット１３からなる連結部材１５と、ボルト１１の上下に挿入される２つのスプリング１７ａとを備え、上部固定部材５は、柱の壁面側に取り付けられる上下に長い板状部１９と、この板状部の下部に水平方向に延出し、かつ、ボルト１１を挿入する孔を有する上部延出部２３とからなり、下部固定部材９は、基礎に取り付けられる板状部２５と、この板状部２５の上部に水平方向に延出し、かつ、ボルト１１を挿入する孔を有する下部延出部２７とからなり、２つのスプリング１７ａは、上部延出部２３の上側と下部延出部２７の下側にそれぞれ配置され、固定される。【選択図】図１
0003196272.tif 000002
【実用新案登録請求の範囲】
【請求項１】
柱の壁面側に取り付けられる上部固定部材と、上部固定部材の下方で基礎に取り付けられる下部固定部材と、上部固定部材と下部固定部材を連結するボルトとナットからなる連結部材と、ボルトの上下に挿入される２つのスプリングとを備え、
上部固定部材は、柱の壁面側に取り付けられる上下に長い板状部と、この板状部の下部に水平方向に延出し、かつ、ボルトを挿入する孔を有する上部延出部とからなり、
下部固定部材は、基礎に取り付けられる板状部と、この板状部の上部に水平方向に延出し、かつ、ボルトを挿入する孔を有する下部延出部とからなり、
２つのスプリングは、上部延出部の上側と下部延出部の下側にそれぞれ配置され、連結部材で上部延出部と下部延出部とに押し付けられるように固定され、
上部延出部の孔と下部延出部の孔はボルトの直径より大きく、ボルトの上下が左右反対方向に可動である事を特徴とする耐震強化金物。
【請求項２】
上部固定部材は土台と柱とに固定されている事を特徴とする請求項１に記載の耐震強化金物。
【請求項３】
建物の隅部の土台と柱に取り付けられる平面視Ｌ字型の長尺部材を更に備え、上部固定部材は土台と柱の長尺部材の表面に取り付けられている事を特徴とする請求項１または請求項２に記載の耐震強化金物。
【請求項４】
上部固定部材の板状部は、平面視Ｌ字型の長尺部材である事を特徴とする請求項１乃至３のいずれか一項に記載の耐震強化金物。
【請求項５】
上部固定部材は、壁面に取り付けられている事を特徴とする請求項１乃至４のいずれか一項に記載の耐震強化金物。
【請求項６】
上部固定部材の板状部と上部延出部とを接続している上部補強部と、下部固定部材の板状部と下部延出部とを接続している下部補強部とを備えている事を特徴とする請求項１乃至５のいずれか一項に記載の耐震強化金物。
【考案の詳細な説明】
【技術分野】
【０００１】
本考案は、建物の耐震強化金物に関するものである。
【背景技術】
【０００２】
従来の耐震構造としては、例えば、建物の基礎と柱を固定するアンカーボルトの上部に、スプリングを取り付けてあるものが存在していた。
【０００３】
そして、縦方向の引っ張り力が生じた場合に、取り付け金具を伸張させることにより、建物が損傷することを防止していた（特許文献１参照）。
【０００４】
この特許文献１は、柱に複数本の釘やビス等によって固定される固定部が形成された支持筒と、この支持筒内に一端部がスライド移動可能に挿入され、他端部が土台あるいは土台のアンカーボルトにナットで固定される作動杆と、前記支持筒内に設けられた設定値以上の引張り力が作用すると、前記作動杆が該支持筒より引き出され、設定値以下の場合には前記土台に柱を固定状態に支持させるスプリングとからなることを特徴とする柱取り付け金具を開示している。
【先行技術文献】
【特許文献】
【０００５】
【特許文献１】特開２００２−３６４０７１号公報
【考案の概要】
【考案が解決しようとする課題】
【０００６】
しかし、特許文献１に記載の柱取り付け金具は、アンカーボルトの下方が基礎に固定されているため、上下方向の引張り力をスプリングで緩和することができるが、建物の横揺れに対応できない場合があった。
【０００７】
また、建物の振動により、ナットに緩みが生じる場合があった。
【０００８】
そこで、本考案は、建物の縦揺れおよび横揺れに対応可能で、ナットの緩みを抑制する耐震強化金物を提供することを目的とする。
【課題を解決するための手段】
【０００９】
上記課題を解決するために、請求項１に記載の耐震強化金物に係る考案は、例えば、図１乃至図４に示すように、
柱の壁面側に取り付けられる上部固定部材と、上部固定部材の下方で基礎に取り付けられる下部固定部材と、上部固定部材と下部固定部材を連結するボルトとナットからなる連結部材と、ボルトの上下に挿入される２つのスプリングとを備え、
上部固定部材は、柱の壁面側に取り付けられる上下に長い板状部と、この板状部の下部に水平方向に延出し、かつ、ボルトを挿入する孔を有する上部延出部とからなり、
下部固定部材は、基礎に取り付けられる板状部と、この板状部の上部に水平方向に延出し、かつ、ボルトを挿入する孔を有する下部延出部とからなり、
２つのスプリングは、上部延出部の上側と下部延出部の下側にそれぞれ配置され、連結部材で上部延出部と下部延出部とに押し付けられるように固定され、
上部延出部の孔と下部延出部の孔はボルトの直径より大きく、ボルトの上下が左右反対方向に可動である事を特徴とする。
【００１０】
請求項１に記載の耐震強化金物に係る考案によれば、柱の壁面側に取り付けられる上部固定部材と、上部固定部材の下方で基礎に取り付けられる下部固定部材と、上部固定部材と下部固定部材を連結するボルトとナットからなる連結部材と、ボルトの上下に挿入される２つのスプリングとを備え、上部固定部材は、柱の壁面側に取り付けられる上下に長い板状部と、この板状部の下部に水平方向に延出し、かつ、ボルトを挿入する孔を有する上部延出部とからなり、下部固定部材は、基礎に取り付けられる板状部と、この板状部の上部に水平方向に延出し、かつ、ボルトを挿入する孔を有する下部延出部とからなり、２つのスプリングは、上部延出部の上側と下部延出部の下側にそれぞれ配置され、連結部材で上部延出部と下部延出部とに押し付けられるように固定され、上部延出部の孔と下部延出部の孔はボルトの直径より大きく、ボルトの上下が左右反対方向に可動であるので、ボルトの上下に配置されたスプリングによりボルトの頭部とナットを押さえてナットの緩みを抑制し、かつ、建物の縦揺れおよび横揺れに対応することができる。
【００１１】
請求項２に記載の耐震強化金物に係る考案は、例えば、図１に示すように、上部固定部材は土台と柱とに固定されている事を特徴とする。
【００１２】
請求項２に記載の耐震強化金物に係る考案によれば、上部固定部材は土台と柱とに固定されているので、土台から柱が抜けることを防止できる。
【００１３】
請求項３に記載の耐震強化金物に係る考案は、例えば、図５，図６に示すように、建物の隅部の土台と柱に取り付けられる平面視Ｌ字型の長尺部材を更に備え、上部固定部材は土台と柱に取り付けられた長尺部材の表面に取り付けられている事を特徴とする。
【００１４】
請求項３に記載の耐震強化金物に係る考案によれば、建物の隅部の土台と柱に取り付けられる平面視Ｌ字型の長尺部材を更に備えているので、隅部の柱を補強することができ、上部固定部材は土台と柱に取り付けられた長尺部材の表面に取り付けられるので、柱が土台から引き抜かれることを更に防止することができる。
【００１５】
請求項４に記載の耐震強化金物に係る考案は、上部固定部材の板状部は、平面視Ｌ字型の長尺部材である事を特徴とする。
【００１６】
請求項４に記載の耐震強化金物に係る考案によれば、上部固定部材の板状部は、平面視Ｌ字型の長尺部材であるので、上部固定部材で柱を補強することができる。
【００１７】
請求項５に記載の耐震強化金物に係る考案は、上部固定部材は、壁面に取り付けられている事を特徴とする。
【００１８】
請求項５に記載の耐震強化金物に係る考案によれば、上部固定部材は、壁面に取り付けられているので、壁を切る場合と比べて施工コストを低減することができる。
【００１９】
請求項６に記載の耐震強化金物に係る考案は、例えば、図１乃至図４に示すように、上部固定部材の板状部と上部延出部とを接続している上部補強部と、下部固定部材の板状部と下部延出部とを接続している下部補強部とを備えている事を特徴とする。
【００２０】
請求項６に記載の耐震強化金物に係る考案によれば、上部固定部材の板状部と上部延出部とを接続している上部補強部と、下部固定部材の板状部と下部延出部とを接続している下部補強部とを備えているので、上部固定部材と下部固定部材とを強く固定することができる。
【考案の効果】
【００２１】
本考案によれば、建物の縦揺れおよび横揺れに対応可能でナットの緩みを抑制する耐震強化金物を提供することができる。
【図面の簡単な説明】
【００２２】
【図１】本考案に係る耐震強化金物を取り付けた一例を示す斜視図である。
【図２】図１の分解斜視図である。
【図３】（ａ）は本考案に係る耐震強化金物の通常時を示す側面図であり、（ｂ）は建物の土台が基礎から上方に移動している状態を示す側面図である。
【図４】（ａ）は本考案に係る耐震強化金物の通常時を示す側面図であり、（ｂ）は建物の土台が基礎から横方向に移動している状態を示す側面図である。
【図５】本考案に係る耐震強化金物を取り付けた一例を示す斜視図であり、平面視Ｌ字型の長尺部材を更に備えた例を示す斜視図である。
【図６】図５の分解斜視図である。
【考案を実施するための形態】
【００２３】
以下、図面を参照して、本考案の一実施の形態について説明する。
【００２４】
＜実施の形態＞
図１乃至図４は、本考案に係る耐震強化金物の実施の形態を示す。
【００２５】
本考案に係る耐震強化金物１は、壁面側の柱３に取り付けられる上部固定部材５と、上部固定部材５の下方で基礎７に取り付けられる下部固定部材９と、上部固定部材５と下部固定部材９を連結するボルト１１とナット１３からなる連結部材１５と、ボルト１１の上下に挿入される２つのスプリング１７ａ，１７ｂとを備えている。
【００２６】
上部固定部材５は、柱３の壁面側に取り付けられる上下に長い板状部１９と、この長い板状部１９の下部に水平方向に延出し、かつ、ボルト１１を挿入する孔２１ａを有する上部延出部２３とからなり、下部固定部材９は、基礎７に取り付けられる板状部２５と、この板状部２５の上部に水平方向に延出し、かつ、ボルト１１を挿入する孔２１ｂを有する下部延出部２７とからなり、２つのスプリング１７ａ，１７ｂは、上部延出部２３の上側と下部延出部２７の下側にそれぞれ配置され、連結部材１５で上部延出部２３と下部延出部２７とに押し付けられるように固定され、上部延出部２３の孔２１ａと下部延出部２７の孔２１ｂはボルト１１の直径より大きく、ボルト１１の上下が左右反対方向に可動であるように構成されている。
【００２７】
また、上部固定部材５は、上部固定部材５の長い板状部１９と上部延出部２３との立面視側部を接続している２つの板状の上部補強部２９とを備え、下部固定部材９は、下部固定部材９の板状部２５と下部延出部２７との立面視側部を接続している２つの板状の下部補強部３１とを備えている。
【００２８】
上部延出部２３の孔２１ａと下部延出部２７の孔２１ｂは、それぞれ直径３０乃至４０ｍｍである。スプリングは、上スプリング１７ａと下スプリング１７ｂとがある。図２に示すように、ボルト１１の頭部３３側に上スプリング１７ａが配置され、上部延出部２３の孔２１ａと下部水平部の孔２１ｂにボルト１１の先端が挿入され、下スプリング１７ｂにボルト１１の先端が挿入されてナット１３で固定される。
【００２９】
図１及び図２に示すように、上部固定部材５の長い板状部１９は、長手方向に複数の孔４５を有し、土台４と柱３とに開けられた複数のコーチ穴３５にそれぞれ複数のコーチボルト３７を介して固定されている。また、下部固定部材９の板状部２５は、複数の孔４６を備えており、基礎７に開けられた複数のアンカー穴３９にそれぞれ複数のアンカーボルト４１を介して固定されている。
【００３０】
図３（ａ）に示すように、通常の状態では、上スプリング１７ａが伸びた状態でボルト１１の頭部３３と上部延出部２３との間を広げるように配置され、下スプリング１７ｂが伸びた状態で下部延出部２７とナット１３の間を広げるように配置されている。
【００３１】
また、図３（ｂ）に示すように、建物の土台４が基礎７から上方に移動している状態では、上スプリング１７ａと下スプリング１７ｂが縮んだ状態となり、上スプリング１７ａと下スプリング１７ｂがそれぞれ伸びて、図３（ａ）に示す元の状態に戻すように土台４を下方に引っ張る力が作用する。
【００３２】
図４（ａ）に示すように、通常の状態では、上スプリング１７ａが伸びた状態でボルト１１の頭部３３と上部延出部２３との間を広げるように配置され、下スプリングが伸びた状態で下部延出部２７とナット１３の間を広げるように配置されている。
【００３３】
また、図４（ｂ）に示すように、建物の土台４が基礎７から上方に移動し、かつ、左方向に移動している状態では、特に、上スプリング１７ａの右側が縮んだ状態となり、かつ、下スプリング１７ｂが縮んだ状態となる。そして、上スプリング１７ａと下スプリング１７ｂがそれぞれ伸びて、図４（ａ）に示す元の状態に戻すように土台４を右側下方に引っ張る力が作用する。上スプリング１７ａと下スプリング１７ｂを備えることにより、縦方向に加えて、横方向にも元の状態に戻すように基礎７上の建物に力が加わる。
【００３４】
＜変形例１＞
上記実施の形態においては、壁面側の柱３に取り付けられる上部固定部材５について説明した。しかし、これに限られず、上部固定部材５を壁面に取り付けてもよい。既存の建物に壁を切らずに耐震強化金物１を取り付ける場合、壁を切る場合と比較すると施工費用を１／４から１／５程低減することができる。
【００３５】
＜変形例２＞
上記実施の形態においては、壁面側の柱３に取り付けられる上部固定部材５について説明した。しかし、これに限られず、図５、図６に示すように、建物の隅部の土台４と柱３に取り付けられる平面視Ｌ字型の長尺部材４３を更に備え、上部固定部材５は土台４と柱３の長尺部材４３の表面に取り付けられているものであってもよい。この長尺部材４３は、複数の孔４４を備えている。
【００３６】
尚、長尺部材４３を２階の柱３まで延出させることにより、１階と２階との境目部分に加わる力を長尺部材４３で吸収することにより、１階部分の倒壊を防止することができる。
【００３７】
＜変形例３＞
上記実施の形態においては、壁面側の柱３に取り付けられる長い板状部１９を備える上部固定部材５について説明した。しかし、これに限られず、板状部２５は平面視Ｌ字型の長尺部であってもよい。なお、この長尺部を２階の柱３まで延出させることにより、１階と２階との境目部分に加わる力を長尺部で吸収することにより、１階部分の倒壊を防止することができる。
【符号の説明】
【００３８】
１  耐震強化金物
３  柱
４  土台
５  上部固定部材
７  基礎
９  下部固定部材
１１  ボルト
１３  ナット
１５  連結部材
１７ａ  上スプリング
１７ｂ  下スプリング
１９  長い板状部
２１ａ，２１ｂ  孔
２３  上部延出部
２５  板状部
２７  下部延出部
２９  上部補強部
３１  下部補強部
３３  頭部
３５  コーチ穴
３７  コーチボルト
３９  アンカー穴
４１  アンカーボルト
４３  長尺部材
４４  孔
４５  孔
４６  孔
【図１】
0003196272.tif 000003
【図２】
0003196272.tif 000004
【図３】
0003196272.tif 000005
【図４】
0003196272.tif 000006
【図５】
0003196272.tif 000007
【図６】
0003196272.tif 000008